(57)【特許請求の範囲】
【請求項１】
着用者の脚の少なくとも膝上下部並びに膝蓋骨および膝窩部を被覆する筒状のサポータ本体（２）を有する膝用サポータ（１）であって、
前記サポータ本体（２）は、
通気性を有しかつ全方向に伸縮自在なストレッチ素材からなり、
その上下端部は折り返し縫いせずにそのままの端部としており、
少なくとも部分的に着用者の膝蓋骨を包囲するテーピング部（３，４）と、
前記サポータ本体（２）のずり下がりやその端部のめくれ上がりを防止する手段を有し、
前記ずり下がり・めくれ上がり防止手段は、
前記サポータ本体（２）の上端付近に設けられた、斜め方向に延びる、５本〜１５本の筋状突起（５）であり、前記サポータ本体の上端から０．３〜１ｃｍまで接近しており、
前記筋状突起（５）の傾斜角度は、前記サポータ本体（２）の上端線を基準にして５０〜８０度である
ことを特徴とする膝用サポータ。
【請求項２】
前記テーピング部（３，４）の先端部分（３２，３３，３４；４２，４３，４４）が前記複数の筋状突起（５）の一部を構成している請求項１記載の膝用サポータ。
【請求項３】
前記筋状突起（５）が前記テーピング部（３，４）の先端部分（３２，３３，３４；４２，４３，４４）であるときを除き、前記筋状突起（５）の長さが１．５〜５ｃｍである請求項２記載の膝用サポータ。
【発明の詳細な説明】
【技術分野】
【０００１】
本発明は、膝に着用することにより、この部分を保護・矯正・保温したり、痛みを緩和させたりするのに使用するサポータに関する。
【背景技術】
【０００２】
この種のサポータとしては多種多様のものが特許公開され、市販もされている。例えば、特開２００７―８２２２０（特許第５０２５９３４号）においては、サポータ本体と一体的に設けられたシリコン樹脂からなる帯状のテーピング部を有するものが公開されている。
【先行技術文献】
【特許文献】
【０００３】
【特許文献１】特開２００７―８２２２０（特許第５０２５９３４号）
【発明の概要】
【発明が解決しようとする課題】
【０００４】
従来の各種発明考案は皆それなりに有用で所期の効果を有するものである。しかし、特に膝を動かした直後や長時間の使用の後にサポータがずり下がったり、端部がめくれ上がったりする問題があり、それに対する対策は十分になされているとは言い難い。
【０００５】
本発明は、この問題に鑑みて行われたもので、サポータのずり下がりやサポータ端部のめくれ上がりを少なくした膝用サポータを提供することを目的とする。
【課題を解決するための手段】
【０００６】
本発明は、着用者の脚の少なくとも膝上下部並びに膝蓋骨および膝窩部を被覆する筒状のサポータ本体を有する膝用サポータであって、前記サポータ本体は、通気性を有しかつ全方向に伸縮自在なストレッチ素材からなり、その上下端部は折り返し縫いせずにそのままの端部としており、少なくとも部分的に着用者の膝蓋骨を包囲するテーピング部と、前記サポータ本体のずり下がりやその端部のめくれ上がりを防止する手段を有し、前記ずり下がり・めくれ上がり防止手段は、前記サポータ本体の上端付近に設けられた、斜め方向に延びる、５本〜１５本の筋状突起であり、前記サポータ本体の上端から０．３〜１ｃｍまで接近しており、前記筋状突起の傾斜角度は、前記サポータ本体の上端線を基準にして５０〜８０度であることを特徴とする（請求項１）。
【０００７】
上記において、「前記サポータ本体の上端付近」というのは、最も近接した部分ではサポータ本体の上端から０．２〜２ｃｍ、好ましくは０．３〜１ｃｍ程度まで接近していることをいうものとする。
【０００８】
好ましくは、前記テーピング部の先端部分が前記筋状突起の一部を構成していることである（請求項２）。
【０００９】
また、好ましくは、前記筋状突起の本数が２〜２０本、より好ましくは５本〜１５本である。前記筋状突起の長さは１．５〜５ｃｍ（前記筋状突起が前記テーピング部の先端部分であるときを除く）が好ましい。前記筋状突起の傾斜角度は、前記サポータ本体の上端線を基準にして５０〜８０度が好ましい。
【発明の効果】
【００１０】
本発明請求項１によれば、斜め方向に延びる、複数の筋状突起がサポータ本体の上端付近に配置されるので、この位置でサポータ上端の生地の伸縮が抑制される。その結果、膝を動かした直後や長時間の使用の後にサポータがずり下がったり、端部がめくれ上がったりすることが少なくなる。
【００１１】
請求項２によれば、テーピング部の一部を筋状突起として使用するため、テーピング部が筋状突起を兼ねることになり、製造効率がよくなる。
【００１２】
以下、添付の図面に基づき、本発明の実施例を説明する。
【図面の簡単な説明】
【００１３】
【図１】本発明のサポータを着用した状態を前側から見た斜視図である。
【図２】同サポータを着用した状態を後ろ側から見た斜視図である。
【図３】同サポータの(a)正面図、(b)背面図、(c)左側面図、(d)平面図である。
【発明を実施するための形態】
【００１４】
図１〜３に示すように、この膝用サポータ１は、着用者の脚の少なくとも膝上下部並びに膝蓋骨および膝窩部を被覆する筒状のサポータ本体２を有している。
【００１５】
サポータ本体２は、通気性を有しかつ全方向に伸縮自在なストレッチ素材から構成されている。ここで、ストレッチ素材とは、ポリウレタン繊維やポリエステル繊維などの伸縮性を有する繊維からなる、またはこれらと他の繊維との複合糸からなる編み組織を有する素材をいう。ナイロンメッシュなどのメッシュ地を用いるようにしてもよい。
【００１６】
サポータ本体２の生地の上下端部は、折り返し縫いせずにそのままの端部とすることができるヘム素材を使用することが好ましい。そうすることで、ゴムによる圧迫感をなくし、生地の折り返しによる厚みの増加を避けることができるからである。
【００１７】
サポータ本体２の表面には、帯状に延びる左右対称のテーピング部３，４が設けられている。図３に示すように、左右テーピング部３，４は、サポータ本体２の前面において、着用者の膝蓋骨を左右から挟むように設けられている第１部分３１，４１を有する。
【００１８】
左テーピング部３は、さらに、この第１部分３１から上方に３本枝分かれして形成された第２部分３２、第３部分３３、第４部分３４を有し、また第１部分３１から下方に３本枝分かれして形成された第５部分３５、第６部分３６、第７部分３７を有する。
【００１９】
右テーピング部４は、さらに、この第１部分４１から上方に３本枝分かれして形成された第２部分４２、第３部分４３、第４部分４４を有し、また第１部分４１から下方に３本枝分かれして形成された第５部分４５、第６部分４６、第７部分４７を有する。
【００２０】
左テーピング部３の第１部分３１、第２部分３２、第５部分３５及び右テーピング部４の第１部分４１、第２部分４２、第５部分４５は、上下方向に隙間を有するものの、全体がほぼ楕円状であり、着用者の膝蓋骨を包囲している。
【００２１】
左テーピング部３の第２部分３２、第３部分３３、第４部分３４の各先端及び右テーピング部４の第２部分４２、第３部分４３、第４部分４４の各先端はサポータ本体の上端近く（上端から約０．５ｃｍ）まで伸びている。
【００２２】
左右テーピング部３，４は、ＴＰＵ樹脂やシリコン樹脂などの樹脂やゴムから構成され、サポータ本体２に対して強固に付着されて一体化している。各テーピング部３，４は平たんなものではなく、断面が山形となっており、最高点の高さは２〜４ｍｍ程度である。
【００２３】
これら左右テーピング部３，４が配置されているため、サポータ本体２は伸縮が制約されている。その結果、サポータ１装着時には、左右テーピング部３，４が着用者の脚の膝蓋骨や膝関節付近を締め付けて、膝をしっかりと支えることができ、関節のブレやぐらつきを抑制することができる。
【００２４】
上記テーピング部３，４にも増して、本発明にとって特徴的なのは、サポータ本体２の上端付近に、サポータ本体のずり下がりや端部のめくれ上がりを防ぐための手段が設けられていることである。
【００２５】
このずり下がりやめくれ上がり防止手段は、斜め方向に延びる、複数の筋状突起５である。この実施例では、図３（ｂ）（ｃ）に表れているように、サポータ本体の背面側に設けられた６本の筋状突起５である。筋状突起５の長さは約３ｃｍで、傾斜角度はサポータ本体２の上端線を基準にして約６５度である。傾斜方向は、左側３本が右上がり、右側３本が右下がりである。先端はサポータ本体の上端近く（上端から約０．５ｃｍ）まで伸びている。
【００２６】
これらの筋状突起５は、サポータ本体２の背面側だけに設けられているが、サポータ本体２の前面の左テーピング部３の第２部分３２、第３部分３３、第４部分３４及び右テーピング部４の第２部分４２、第３部分４３、第４部分４４も一種の筋状突起ということができる。
【００２７】
そのようにみるとき、この実施例では、筋状突起５はサポータ本体の前面側に６本、背面側に６本形成されていて、ほぼサポータ本体の全周に配置されているということもできる。
【符号の説明】
【００２８】
１     膝用サポータ
２     サポータ本体
３     左テーピング部
３１   第１部分
３２   第２部分
３３   第３部分
３４   第４部分
３５   第５部分
３６   第６部分
３７   第７部分
４     右テーピング部
４１   第１部分
４２   第２部分
４３   第３部分
４４   第４部分
４５   第５部分
４６   第６部分
４７   第７部分
５     筋状突起
【図１】
0006697295.tif 000002
【図２】
0006697295.tif 000003
【図３】
0006697295.tif 000004